(57)【特許請求の範囲】
【請求項１】
互いに折れ曲がるよう連結された第１と第２のアーム（８、７）と、前記第１と第２のアーム（８、７）をロックするレバー（２）を具備する固定システムとを有するブレスレットの留め金に於いて、
前記第１アーム（８）の一端（１５）は、ブレスレッド・ストランド（１４）に取り付けられ、その他端（１６）は、前記第２アーム（７）の第１端部（１９）に回転可能に連結され、
前記第２アーム（７）は、その第２端（１７，１８）で横方向に伸びる軸真（１１）を有し、
前記軸真（１１）の周囲を、第１フラップ（２０）と第２フラップ（２１）を具備するキャップ（１）が回転し、前記キャップ（１）に別のストランドが取り付けられ、
前記レバー（２）は、前記キャップ（１）に第１ピン（３ａ）により回転可能に搭載され、
前記ブレスレットの留め金は、弾性手段（５）とかんぬき装置（４）を更に有し、
前記レバー（２）は、前記かんぬき装置（４）を操作し、
前記かんぬき装置（４）は、第２ピン（３ｂ）により前記キャップ（１）に回転可能に搭載され、前記第２ピン（３ｂ）は第１ピン（３ａ）とは異なり、
前記かんぬき装置（４）は、前記ブレスレットの留め金が固定位置に押し込まれている時には、前記第１アーム（８）に搭載されたフック（２２）と協働し、前記ブレスレットの留め金をロックし、
前記レバー（２）が手動で動かされない時には、前記弾性手段（５）は、前記レバー（２）を固定位置に保持し、前記かんぬき装置（４）は前記フック（２２）と係合している
ことを特徴とするブレスレットの留め金。
【請求項２】
前記弾性手段（５）は、ネジ部材（２６，２７）により前記キャップ（１）に固定されたプレートの形態を採り、
前記弾性手段（５）は、中央ストリップ（２３）と外側ストリップ（２４，２５）を有する熊手の形状をしており、
前記中央ストリップ（２３）は、前記レバー（２）の裏面に形成された隆起部（５０）に当たり、
前記２つの外側ストリップ（２４，２５）は、前記かんぬき装置（４）の裏面に形成された隆起部分（３０）に当たる
ことを特徴とする請求項１記載のブレスレットの留め金。
【請求項３】
前記レバー（２）は、把持部分（３１）を具備したプレートであり、
前記レバー（２）は、使用されない時には、前記キャップ（１）の上部と一体に見える
ことを特徴とする請求項１記載のブレスレットの留め金。
【請求項４】
前記第１ピン（３ａ）と第２ピン（３ｂ）の周りを、前記レバー（２）とかんぬき装置（４）がそれぞれ回転し、
前記第１ピン（３ａ）と第２ピン（３ｂ）は、前記キャップ（１）のフラップ（２０，２１）に搭載される
ことを特徴とする請求項１記載のブレスレットの留め金。
【発明の詳細な説明】
【技術分野】
【０００１】
本発明はブレスレットの留め金に関する。
【背景技術】
【０００２】
本発明が対象とするブレスレットの留め金は、互いに折れ曲がるよう連結された第１と第２のアームとを有する。前記第１アームの一端は、前記ブレスレットの留め金のブレスレッド・ストランドに取り付けられ、その他端は、前記第２アームの第１端部に回転可能に連結される。第２アームは、その第２端で横方向に伸びる軸真を有する。前記軸真の周囲を、第１と第２のフラップを具備するキャップが回転し、前記キャップに別のストランドが取り付けられている。更に、第１と第２のアームをロックするレバーを具備する固定システムを有する。
【０００３】
このブレスレットの留め金は、バックル留め金とも称し従来公知であり、通常固定システムとしてプッシュボタンを利用している。しかしレバーがこのようなプッシュボタンの代わりに提案されているが、本発明はこれを更に改良したものである。  
【先行技術文献】
【特許文献】
【０００４】
【特許文献１】欧州特許第１６５４９５０号明細書
【０００５】
操作レバーを実現する留め金は、特許文献１に開示されている。特許文献１に開示されたブレスレットの留め金は、それぞれの端部で互いに関節駆動される（回転可能に連結される）複数本のブランチを有する。このブランチの一方の端部は、ブランチの関節駆動の軸に平行な軸の周囲を回転しフックと一体に構成されたレバーを有する。その他端は、フックをレバーに保持位置に維持するフック要素を有する。
【０００６】
このレバーは、トルクをかけるための弾性手段と、トルクによる軸周りの回転を制限しフックをロック要素とロックさせるための位置に制限する手段とを有する。この弾性手段に力がかかると、レバーは弾性手段に対して回転して、ロッキング・フックをフック要素から係合したり開放したりする。
【発明の概要】
【発明が解決しようとする課題】
【０００７】
この特許文献１によれば、レバーは、ブレスレットの留め金を開くために持ち上げなければならず、これは自然なことであるが、同時にブレスレットの留め金を閉じる際にも持ち上げなければならない。これは動作を複雑にし面倒なことである。
本発明の目的は、ブレスレットの留め金を閉じる間、操作レバーを操作する必要のないようにする構成を提供することである。
【課題を解決するための手段】
【０００８】
上記課題を解決するために、本発明のブレスレットの留め金は、段落０００２に記載された構成に加えて、弾性手段とかんぬき装置を更に有する。前記レバーは、前記かんぬき装置を操作する。前記かんぬき装置は、第２ヒンジにより前記キャップに回転可能に搭載される。
前記かんぬき装置は、前記ブレスレットの留め金が固定位置に押し込まれている時には、前記第１アームに搭載されたフックと協働し、前記ブレスレットの留め金をロックする。前記弾性手段は、前記レバーが手動で動かされない時には、前記レバーを固定位置に保持し、前記かんぬき装置は前記フックと係合している。
【図面の簡単な説明】
【０００９】
【図１】本発明のブレスレットの留め金の展開図。
【図２】レバーを持ち上げた状態で、閉じられた（留められた）状態のブレスレットの留め金の側面図。
【図３】レバーを持ち上げた状態で、図１のレバーとかんぬき装置の軸を横切る垂直方向断面図。
【図４】レバーを持ち上げた状態で、弾性手段の外側ストリップと前記弾性手段をブレスレットの留め金を固定するネジを横切る垂直方向断面図。
【図５】レバーを持ち上げた状態で、弾性手段の中央ストリップとかんぬき装置とフックを横切る垂直方向断面図。
【図６】レバーを折りたたんだ状態で、ブレスレットの留め金をロックする直前の、かんぬき装置とフックが切り離された状態で、ブレスレットの留め金の構成部品の位置を示す垂直方向断面図。
【図７】レバーを折りたたんだ状態で、係合した状態のかんぬき装置とフックと弾性手段の中央ストリップとを横切る垂直方向断面図。
【図８】レバーを折りたたんだ状態で、弾性手段の外側ストリップと前記弾性手段をブレスレットの留め金の固定するネジを横切る垂直方向断面図。
【発明を実施するための形態】
【００１０】
図１に於いて、本発明のブレスレットの留め金は第１アーム８を有する。この第１アーム８の一端１５に、ブレスレッド・ストランド１４が取り付けられている。ここでブレスレットは第１リンクで表されている。第１アーム８の他端１６は、第２アーム７の第１端部１９の軸真９により関節運動をする（折れ曲がる：即ち軸真を中心に回転する）。この場合、第２アーム７は、２つの側部材３５と３６で構成される。側部材３５と側部材３６の間に、ブレスレットの留め金が取り付け（固定）位置にある時には、第１アーム８が挿入される。第２アーム７は、第２端１７、１８で横方向に伸びる軸真１１を有する。軸真１１の周囲でキャップ１が、関節運動をする。キャップ１には第１フラップ２０と第２フラップ２１が具備される。もう一方のブレスレッド・ストランド（図示せず）が、キャップ１に取り付けられ、キャップ１から図の左側に伸びる。
従来と同様に、軸真１１は、ノッチ３７を具備し、キャップ１の第１フラップ２０と第２フラップ２１に形成されたオリフィス３８と３９の間に、締め付け部分４０を有するパイプ１０により保持される。図１に於いて、本発明のブレスレットの留め金は、固定システムを具備する。この固定システムは、第１アーム８と第２アーム７をロックするレバー２を具備する。
【００１１】
固定システムは、本発明の特徴であり以下詳述する。
図１に於いて、レバー２は、キャップ１に、２個の小型ピン（第１ピン）３ａで構成される第１ヒンジにより、回転可能に搭載される。この２個の小型ピン３ａは、キャップ１の第１フラップ２０と第２フラップ２１に形成された孔４１を貫通する（嵌る）。
図３−８に於いて、レバー２はかんぬき装置４を操作する（動かす）。かんぬき装置４は、キャップ１に、２個の小型ピン３ｂで形成される第２ヒンジにより、回転可能に搭載される。小型ピン３ａと３ｂとは異なる部品である。小型ピン（第２ピン）３ｂは、キャップ１の第１フラップ２０と第２フラップ２１に形成された孔を貫通する（嵌る）。この孔は図１には図示されていない。かんぬき装置４は、レバー２の裏面に形成された隆起部分２８により操作される（動かされる）。かんぬき装置４は、第１アーム８に取り付けられたフック２２と共に働くよう配置され、ブレスレットの留め金が固定位置に押し込まれた時には、ブレスレットの留め金をロックする。本発明のブレスレットの留め金は弾性手段５を具備する。この弾性手段５は、レバーが手動で動かされない時には、レバー２を固定位置に保持し、かんぬき装置４をフック２２に係合させておく。
【００１２】
図１に示すように、弾性手段５はプレートの形態を採る（板状である）。このプレートである弾性手段５は、ネジ部材２６，２７によりキャップ１に固定される。このプレートである弾性手段５は、熊手の形態に打ち抜かれ、中央ストリップ２３と２つの外側ストリップ２４と２５を有する。この中央ストリップ２３は、図５−７に示すように、レバー２の裏面に形成された隆起部５０に当たる。図４，８に示すように、外側ストリップ２４と２５は、かんぬき装置４の裏面に形成された隆起部分３０に当たる。図４、８は、弾性手段５をキャップ１に固定するネジ部材２７も示す。
【００１３】
全図に於いて、レバー２は、把持部分３１を具備するプレートである。この把持部分３１を用いて、ブレスレットの留め金を開ける時に、レバー２を持ち上げる役目をする。それ以外の場合には、このプレートはキャップ１の上部と一体（凸凹がないように）に見える。
【００１４】
レバー２とかんぬき装置４がそれぞれ回転する軸である第１と第２のヒンジは、キャップ１に搭載される。キャップ１の一部を構成する第１フラップ２０と第２フラップ２１とを用いて、これ等のヒンジを平行に配置させる。これ等のヒンジを形成する小型ピン３ａと３ｂは、このために形成された孔内のフラップの外側から搭載され、その後レーザーで溶接される。一変形例に於いては、孔の外側部分は、ヒンジを隠すために仕上げ処理が施されている。従って、図２に示すオリフィス３８のみが残り、軸真１１を取り外し、ブレスレットの留め金を開くことが出来る。
【００１５】
図３−８を参照して、本発明のブレスレットの留め金の動作を説明する。
図３−５は、ブレスレットの留め金を開く方法を示す。
【００１６】
図３に、レバー２の回転軸３ａとかんぬき装置４の回転軸３ｂが示されている。この複数の回転軸３ａ，３ｂは、それぞれ図１の第１フラップ２０，第２フラップ２１に搭載された小型ピン３ａ、小型ピン３ｂでもある。この２本の回転軸２ａ，３ｂは、特許文献１のブレスレットの留め金には存在せず、ブレスレットの留め金を閉じた（留めた）時に、レバーが持ち上がるのを回避するための本発明の主要な特徴を構成する。
【００１７】
図４において、弾性手段５を構成する外側ストリップ２４，２５は、キャップ１にネジ部材２７と２６により取り付けられる。把持部分３１を用いて、レバー２は矢印Ａの方向に持ち上げられる。レバー２の隆起部分２８は、かんぬき装置４を回転し、外側ストリップ２４を曲げる。
【００１８】
図５は、弾性手段５の中央ストリップ２３の断面図である。この断面図によれば、中央ストリップ２３は、レバー２の隆起部５０により曲げられ、前記レバー２は隆起した（立ち上がった）ままである。かんぬき装置４は、第１アーム８に搭載されるフック２２から離れた位置にある。ブレスレットの留め金の第２アーム７は、その第２端１８が図５に示されているが、第１アーム８に押しつけられておらず、ブレスレットの留め金を開くことが出来る。
【００１９】
図６−８はブレスレットの留め金を閉じる方法を示す。
図６は、ブレスレットの留め金をロックする直前の、ブレスレットの留め金を構成する要素の位置関係を示す。レバー２は、手動では隆起されず、小型ピン３ａを中心に矢印Ｂ方向に、中央ストリップ２３の復帰力により回転する。レバー２の表面はキャップ１の表面と連続しておりそれと一体に見える。
図６によれば、ブレスレットの留め金がロックされる直前に、かんぬき装置４のヘッドは第１アーム８のフック２２の先端と接触している。
【００２０】
図７は、弾性手段５の中央ストリップ２３を通る断面図である。同図は、ロック位置にあるブレスレットの留め金を構成する要素の位置関係を示す。キャップ１を手で押すことにより、かんぬき装置４のヘッドは、第１アーム８のフック２２の下に入り、ブレスレットの留め金をロックする。この位置に於いて、第１アーム８は、第２アーム７の側部材３５，３６の間にあり、軸真１１は、第２アーム７の第２端１７、１８を貫通して、第１アーム８の端部方向に形成された溝５１の底部にある。
【００２１】
図８は、弾性手段５の外側ストリップ２４とネジ部材２７を通る断面図である。ブレスレットの留め金はロック位置にあり、レバー２は折りたたまれてキャップ１の上にある。同図は、外側ストリップ２４がかんぬき装置４の隆起部３０に当たった状態を示し、これにより、かんぬき装置４のヘッドを第１アーム８のフック２２に適正に係合させる。
【００２２】
上記したように、本発明のブレスレットの留め金は、操作全体を通してその場所に保持されているレバー２を押さずに、レバー２はキャップ１に押し当てたまま、留めることができる。上記した構成により、レバー２を持ち上げる力は、ブレスレッド・ストランド１４に架かる力とは切り離すことができ、かくして、弾性手段５を替えるだけで、力を様々な男性用または女性用のブレスレットに適用できる。
【００２３】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００２４】
１  キャップ
２  レバー
３ａ，３ｂ  小型ピン
４  かんぬき装置
５  弾性手段
７  第２アーム
８  第１アーム
９  軸真
１１  軸真
１４  ブレスレッド・ストランド
１５  一端
１６  他端
１７，１８  第２端
１９  第１端部
２０，２１  フラップ
２０  第１フラップ
２１  第２フラップ
２２  フック
２３  中央ストリップ
２４，２５  外側ストリップ
２６，２７  ネジ部材
２８  隆起部分
３１  把持部分
３５，３６  側部材
３７  ノッチ
４０  締め付け部分
４１  貫通孔
５０  隆起部
【図１】
0005912690.tif 000002
【図２】
0005912690.tif 000003
【図３】
0005912690.tif 000004
【図４】
0005912690.tif 000005
【図５】
0005912690.tif 000006
【図６】
0005912690.tif 000007
【図７】
0005912690.tif 000008
【図８】
0005912690.tif 000009